(57)【特許請求の範囲】
【請求項１】
内部空間で洗浄媒体を気流により飛翔させ、前記洗浄媒体を洗浄対象物に当てて前記洗浄対象物の洗浄を行う乾式クリーニング装置における洗浄媒体の供給方法において、
前記洗浄媒体が前記内部空間の気流又は外部から前記内部空間へ入り込む気流、あるいはこれらの気流を案内する部材との接触により自ら破裂ないし破砕する構成又は材質でラッピングされた形態で前記内部空間へ導入されることを特徴とする洗浄媒体の供給方法。
【請求項２】
請求項１に記載の洗浄媒体の供給方法において、
前記ラッピングが、シート状部材で構成されていることを特徴とする洗浄媒体の供給方法。
【請求項３】
請求項２に記載の洗浄媒体の供給方法において、
前記シート状部材の厚さが、0.1ｍｍ以下であることを特徴とする洗浄媒体の供給方法。
【請求項４】
請求項１〜３のいずれか１つに記載の洗浄媒体の供給方法により供給される洗浄媒体。
【請求項５】
洗浄媒体を気流により飛翔させ、前記洗浄媒体を洗浄対象物に当てて前記洗浄対象物の洗浄を行う乾式クリーニング装置に用いられる乾式クリーニング筐体であって、
前記洗浄媒体を飛翔させる内部空間と、
前記洗浄対象物に当接して前記内部空間で飛翔している前記洗浄媒体を前記洗浄対象物に衝突させる開口部と、
外部からの空気を前記内部空間へ通す通気路と、
前記通気路を介して前記内部空間に導入された空気を吸引することにより前記内部空間に旋回気流を生じさせる吸気口と、
前記洗浄対象物から除去された除去物を前記吸気口側へ通過させる多孔手段と、を有し、
前記内部空間にラッピングされた形態で導入される前記洗浄媒体の該ラッピングを破裂させるためのラッピング破裂手段を有していることを特徴とする乾式クリーニング筐体。
【請求項６】
請求項５に記載の乾式クリーニング筐体において、
前記ラッピング破裂手段が、前記内部空間における前記旋回気流の内周側に設けられていることを特徴とする乾式クリーニング筐体。
【請求項７】
請求項５に記載の乾式クリーニング筐体において、
前記ラッピング破裂手段が前記通気路に設けられていることを特徴とする乾式クリーニング筐体。
【請求項８】
請求項５〜７のいずれか１つに記載の乾式クリーニング筐体と、該乾式クリーニング筐体の前記吸気口に接続される吸気手段とを有していることを特徴とする乾式クリーニング装置。
【発明の詳細な説明】
【技術分野】
【０００１】
本発明は、筐体の内部空間で循環気流により洗浄媒体を飛翔させ、洗浄対象物に接触（衝突の概念を含む）させて洗浄する乾式のクリーニングに係る洗浄媒体の供給方法、洗浄媒体、乾式クリーニング筐体及び乾式クリーニング装置に関する。
【背景技術】
【０００２】
特許文献１には、洗浄対象物に対する洗浄位置を任意に変更できるハンディタイプの乾式クリーニング装置が開示されている。
このクリーニング装置は、洗浄媒体を循環飛翔させる内部空間と、内部空間で飛翔している洗浄媒体を洗浄対象物に衝突させるための開口部と、外部からの空気を内部空間へ通す通気路と、掃除機等の吸気手段に接続される吸気口と、洗浄対象物から除去された除去物を吸気口側へ通過させるパンチングメタル等の多孔手段とを有している。
吸気手段とフレキシブルホースで連結されたクリーニング筐体に、上記内部空間、開口部、通気路、吸気口及び多孔手段が一体に形成されており、クリーニング筐体を手で持って移動させることにより洗浄位置を容易に変更することができる。
【０００３】
吸気手段を作動させると、主として開口部から大量に外部空気が内部空間内に流入し、内部空間が負圧状態となる。この負圧状態で開口部から所定量の洗浄媒体を吸い込むと、洗浄媒体は多孔手段に張り付いてクリーニング筐体の内部に保持された状態となる。かかる状態で開口部を洗浄対象物の洗浄したい部位に当てて塞ぐと、開口部よりも断面積の小さい通気路から外部空気が高速で流入し、内部空間で旋回気流が生じ、多孔手段に張り付いていた洗浄媒体が飛翔する。
内部空間で循環飛翔し続ける洗浄媒体は、通気路から高速で流入する気流に乗って高速で直線的に開口部に向って飛翔し、開口部に露出した洗浄対象物に衝突して汚れを除去する。
【０００４】
ハンディタイプであるが故に一度にできる洗浄面積は開口部の大きさに限定され、クリーニング筐体を移動させながら洗浄面積を拡大させる必要がある。
一方、洗浄媒体は衝突を繰り返すうちに磨耗や破壊（折れ）が進行して小さくなり、除去物と共に多孔手段を通過して吸気手段側に回収される。
したがって、洗浄時間の経過とともに内部空間で飛翔する洗浄媒体の量は減少する。洗浄媒体の量には「洗浄対象物の汚れの除去に適正な飛翔数量」が存在し、少なくなると洗浄能力が低下する。
良好な洗浄能力を維持した状態で洗浄動作（洗浄プロセス）を続けるには、適宜洗浄媒体を筐体内部に補給する必要がある。
洗浄媒体を補給する場合、特許文献１記載のクリーニング装置では、洗浄対象物から筐体を離して一旦洗浄動作を中断し、開口部から所定量の洗浄媒体を吸引した後、開口部を洗浄媒体に当てて洗浄動作を再開するようになっている。
【０００５】
洗浄動作を中断せずに洗浄媒体を内部空間に供給する方法として、通気路から洗浄媒体を供給することが考えられるが、所定量の洗浄媒体を例えば漏斗状の部材で通気路に投入する必要があり、煩わしさを否めない。補助者を必要とする場合もあり得る。
特許文献２には、洗浄媒体が収容されたカートリッジを筐体に装着して弁開閉により内部空間に洗浄媒体を供給する方式が開示されている。
しかしながら、この方式によれば、予め秤量された洗浄媒体を確実に供給することができるが、筐体の構成の複雑化を避けられず高コスト化を来たす。
特許文献３には、洗浄対象物を包んだ包装部材自体を切断し、切断片を洗浄媒体として利用する方法が提案されている。
しかしながら、この方法では切断片の量が一定ではないため、洗浄媒体の適正量を供給することが困難である。また、包装部材の種類によっては容易に切断できず、洗浄媒体として飛翔させにくい材質もある。
また、完全に切断できなければ洗浄対象物の汚れを十分に除去可能な洗浄媒体の量を確保できず、適正に洗浄媒体を供給することが困難であった。
【発明の概要】
【発明が解決しようとする課題】
【０００６】
本発明は、このような現状に鑑みて創案されたもので、洗浄動作を中断することなく必要所定量の洗浄媒体を容易に供給でき、洗浄作業の能率向上に寄与できる洗浄媒体の供給方法の提供を、その主な目的する。
【課題を解決するための手段】
【０００７】
上記目的を達成するために、本発明は、内部空間で洗浄媒体を気流により飛翔させ、前記洗浄媒体を洗浄対象物に当てて前記洗浄対象物の洗浄を行う乾式クリーニング装置における洗浄媒体の供給方法において、前記洗浄媒体が前記内部空間の気流又は外部から前記内部空間へ入り込む気流、あるいはこれらの気流を案内する部材との接触により自ら破裂ないし破砕する構成又は材質でラッピングされた形態で前記内部空間へ導入されることを特徴とする。
【発明の効果】
【０００８】
本発明によれば、必要所定量の洗浄媒体を洗浄動作を中断することなく容易かつ確実に供給でき、洗浄作業の能率向上を図ることができる。
【図面の簡単な説明】
【０００９】
【図１】本発明の第１の実施形態に係る乾式クリーニング筐体においてラッピングされた洗浄媒体をインレットにセットした状態を示す概要断面図である。
【図２】ラッピングの構成を示す模式図である。
【図３】実際のラッピングの写真画像である。
【図４】ラッピングをインレットにセットした状態の写真画像である。
【図５】ラッピングが破裂して筐体内で洗浄媒体が解放・拡散した状態を示す概要断面図である。
【図６】洗浄動作を停止した状態の分離板上のラッピング残渣を示す写真画像である。
【図７】ラッピングの保管状態を示す写真画像である。
【図８】第２の実施形態においてラッピングされた洗浄媒体をインレットにセットした状態を示す概要断面図である。
【図９】ラッピング破裂手段の斜視図である。
【図１０】第３の実施形態においてラッピングされた洗浄媒体をインレットにセットした状態を示す概要断面図である。
【図１１】第４の実施形態におけるラッピング材を示す平面図である。
【図１２】乾式クリーニング装置の要部を示す図である。
【図１３】図１２で示した乾式クリーニング装置におけるクリーニング動作を説明するための図である。
【図１４】同乾式クリーニング装置によるクリーニングの一例を説明するための図である。
【図１５】変形例に係る乾式クリーニング装置の要部を示す図である。
【図１６】同乾式クリーニング装置の使用時の開口部の気密状態を示す要部拡大断面図である。
【発明を実施するための形態】
【００１０】
以下、本発明の実施形態を図を参照して説明する。
図１乃至図７に基づいて第１の実施形態を説明する。本発明に係る洗浄媒体の供給方法を説明する前に、まず本実施形態に係る乾式クリーニング装置の構成及び洗浄メカニズムを簡単に説明する。
図１２に示すように、内部に多孔手段としてのメッシュ状の分離板１０Ｃを有する乾式クリーニング筐体１０は、吸気口１０Ｊを介してフレキシブルな吸気ダクト２０Ｂにより吸引装置２０Ａに接続されている。
上部筐体１０Ａの内方中心部には、旋回空気流の旋回軸を規定する円筒状の内筒部材１０Ｄが設けられている。
上部筐体１０Ａの円筒形状となっている部分には、矩形状の開口部１０Ｅが形成されているとともに、通気路としてのインレット１０Ｆが形成されている。
【００１１】
開口部１０Ｅが開放された状態で、吸引装置２０Ａを作動させると、図１３（ｂ）に示すように、主として開口部１０Ｅから大量の外部空気が上部筐体１０Ａ内に入り込み、入り込んだ空気は分離板１０Ｃを通して吸引されるため、上部筐体１０Ａの内筒部材１０Ｄで区画される円環状の内部空間は負圧となる。
従来はかかる状態で開口部１０Ｅから洗浄媒体ＰＣを吸い込んで筐体内に取り込んでいた。吸い込まれた洗浄媒体ＰＣは、負圧により分離板１０Ｃ上に吸着保持される。
図１３（ａ）に示すように、この状態で開口部１０Ｅを洗浄対象物に当てると、インレット１０Ｆから外部空気が高速で入り込み、旋回空気流ＲＦが形成される。洗浄媒体ＰＣは旋回空気流で内部空間を循環飛翔する。
洗浄媒体はインレット１０Ｆからの高速気流で加速されて直線的に飛翔し、開口部１０Ｅに露出する洗浄対象物に衝突する。この動作が繰り返されて洗浄対象物の汚れが除去される。
【００１２】
上述したように、洗浄媒体ＰＣは磨耗等によりその量が減少するため、良好な洗浄機能を維持するには適宜のタイミングで洗浄媒体を筐体内部に供給（補給）する必要がある。
従来のように、洗浄媒体を補給する都度、洗浄対象物から開口部１０Ｅを離して洗浄動作を中断すると、洗浄作業の効率が低下する。
本発明では、この問題を解消すべく、予め秤量された所定量の洗浄媒体をラッピングし、ラッピングされた状態で筐体の内部空間へ投入することとした。
【００１３】
ここで、「ラッピング」とは、洗浄媒体が任意の重量で包含されている袋状のものを表し、袋内に洗浄媒体を収容ないし充填後、完全に密閉したもの、折り畳んで簡単に解体できるものなど、種々の形態を含む意味である。
図１に示すように、洗浄媒体を内部空間に補給する場合、洗浄対象物ＣＯに開口部１０Ｅが当接した状態で、ラッピングＷＲＰをインレット１０Ｆに投入する。
ラッピングＷＲＰは、図２に示すように、任意重量（所定量）の洗浄媒体ＰＣと、この洗浄媒体の集合体を包むラッピング材（包装材）３０とから構成されている。
【００１４】
本実施形態における洗浄媒体ＰＣは、ポリエチレンテレフタレート（ＰＥＴ）フィルムで矩形片として形成されている。ラッピング材３０は、厚さ0.02ｍｍの乾燥でんぷん（ふくろオブラート；山元オブラート製）で構成されている。
洗浄媒体ＰＣを所定量秤量後、ラッピング材３０に充填し、開口先端部を水で濡らして封をする。図３にラッピングＷＲＰの実際の形状を示す。
図４に示すように、インレット１０Ｆの内壁は、ラッピングＷＲＰがインレット１０Ｆへの投入が完了する前に不意に破けて洗浄媒体が飛散しないように、二硫化モリブデンで低摩擦コーティングが施されている。
【００１５】
洗浄対象物ＣＯによって開口部１０Ｅが塞がれた洗浄動作中に、ラッピングＷＲＰをインレット１０Ｆに入れると、ラッピングＷＲＰは気流で内部空間へ吸い込まれる。
オブラートからなるラッピング材３０は、気流圧力やインレット１０Ｆを移動するときの摩擦等により瞬時に破れ、図５に示すように、包まれていた複数の洗浄媒体ＰＣは内部空間で解放されて拡散し、旋回空気流で飛翔する。
ラッピング材３０自体は破裂して玉状に小さくなる。図６は、吸引装置２０Ａを停止した後の分離板１０Ｃ上の残留物を撮影したものである。ラッピング材３０はラッピング残渣として玉状の形で洗浄媒体と共に残り、容易に除去可能となる。
図７は、複数のラッピングＷＲＰを容器に入れている状態を示す写真図である。このように複数のラッピングＷＲＰを手元に用意しておけば、洗浄媒体の補給が必要となったときに、片手で摘んでインレット１０Ｆに投入することにより、所定量の洗浄媒体をこぼすことなく容易に補給することができる。
【００１６】
このため、筐体に洗浄媒体を補給するための特別な機構を付加することなく、且つ、洗浄動作を中断することなく洗浄媒体を補給することができる。
本実施形態では、洗浄動作中における洗浄媒体の供給方法を説明したが、洗浄開始時にはラッピングＷＲＰを開口部１０Ｅから吸引してもよく、洗浄対象物に開口部１０Ｅを当てた状態でインレット１０Ｆから投入してもよい。いずれにしてもラッピング材３０は僅かな衝撃で破れ、開口部１０Ｅから吸引した場合には洗浄媒体は瞬時に拡散して分離板１０Ｃに吸着保持される。インレット１０Ｆから投入した場合には、洗浄動作中と同様に瞬時に内部空間で拡散して洗浄機能が発現する。
【００１７】
ラッピング材３０としては、ティッシュペーパを利用することもできる。厚みが0.04ｍｍのティッシュペーパでＰＥＴフィルムからなる洗浄媒体を包み、開口先端部を折り曲げて、同様に内部空間に導入した。
その結果、瞬時にラッピングが破裂して洗浄媒体が飛翔開始し、洗浄対象面の汚れを除去可能となった。また、破裂したラッピング材３０はは旋回停止後分離板に貼り付いており、分割可能な筐体１０の上部筐体１０Ａを外して容易に除去可能である。
【００１８】
図８及び図９に基づいて第２の実施形態を説明する。
上記実施形態では、ラッピングＷＲＰのラッピング材３０が気流圧等の僅かな衝撃で破れたり包装形状が崩れるものであったが、本実施形態ではラッピング材がある程度の強度を持っていても洗浄媒体を迅速に解放・拡散させることができる例を示す。
本実施形態におけるラッピングＷＲＰのラッピング材は、薄肉のプラスチックシートで構成されている。
図８に示すように、旋回空気流の内周側となる内筒部材１０Ｄの外周面にはラッピングを破裂させるためのラッピング破裂手段３２が設けられている。ラッピング破裂手段３２は、図９に示すように、内筒部材１０Ｄの外周面に周方向及び高さ方向に配設された複数の刃（突起）３４から構成されている。各突起３４は旋回空気流ＲＦの向きに対向するように配置されている。
【００１９】
内部空間へ向けて投入されたラッピングＷＲＰが破れにくいものであっても、内部空間内でラッピング破裂手段３２により容易に破かれ、上記実施形態と同様に洗浄媒体は解放・拡散する。
通常、洗浄媒体は内部空間における最外周を飛翔し続けるので、仮に内部空間の最外周に複数の刃を配設すると、飛翔する洗浄媒体が複数の刃と干渉し、洗浄媒体の旋回が乱れ、効率よく洗浄対象物の汚れ除去ができなくなる。
したがって、複数の刃を内部空間の最内周に配設することで、ラッピングのみが複数の刃と衝突することでラッピングを破裂させ、そこから解放された洗浄媒体は内部空間の最外周を飛翔し続けることで、効率よく洗浄対象物の汚れ除去が可能となる。
オブラート等の僅かな衝撃で破れるラッピングＷＲＰの場合、作業者の不用意な動作で内部空間への導入前に破れて洗浄媒体がこぼれる可能性があり、取扱いがデリケートであるが、薄肉のプラスチックシート等で包装した場合にはこのような懸念がない。すなわち、在庫管理が容易となる。
【００２０】
図１０に第３の実施形態を示す。
本実施形態では、複数の突起を有するラッピング破裂手段３６をインレット１０Ｆの中に配置したことを特徴とする。
本実施形態ではラッピングＷＲＰは内部空間に入る前に破裂するので、第２の実施形態に比べて洗浄媒体を早期に解放・拡散させることができる。ラッピング破裂手段としては、インレット１０Ｆの内周面から径方向に突出するように突起を設けてもよく、あるいは対向方向から向い合うように突起を設けてもよい。
【００２１】
図１１に第４の実施形態を示す。
上記実施形態では、ラッピング破裂手段によってラッピングＷＲＰのラッピング材を強制的に破裂させる構成としたが、本実施形態ではラッピング材自体が破れを生じさせる構成を有していることを特徴とする。
図１１に示すように、ラッピング材としての薄いシート３８には、内部空間で容易に破裂するように、縦横の切れ目３８ａ、３８ｂが入れてある。具体的には、ミシン目などを入れる。薄いシート３８に洗浄媒体を収容して包み込み、ラッピングＷＲＰを構成する。
インレット１０Ｆから内部空間へ導入されたラッピングＷＲＰは、ミシン目に沿って容易に破裂することで、そこから解放された洗浄媒体は内部空間の最外周を飛翔し続けることで、効率よく洗浄対象物の汚れ除去が可能となる。
【００２２】
表１に、ラッピング材料の破裂特性や洗浄媒体の飛翔特性等に係る実験結果を示す。表１は、全てラッピング破裂手段を使用した結果を示している。
【００２３】
【表１】
0005920000.tif 000002
【００２４】
表１から明らかように、コーヒーフィルター等の破れにくい材質を除いて、色々な材質をラッピングのラッピング材として用いることができる。
【００２５】
図１２乃至図１６に基づいて、本実施形態に係る乾式クリーニング装置の構成及び洗浄メカニズムを詳細に説明する。
図１２は、本実施形態に係る乾式クリーニング装置の一形態を説明するための図である。図１２において、符号１０は乾式クリーニング筐体を示している。以下、乾式クリーニング筐体を単に「筐体」と称する。
筐体１０は、図１２の上下の図から明らかなように、円錐形状の中空体を、互いに逆向きにして、その底面側で合わせた形態となっている。図１２の下図に示す符号１０Ａで示す部分を「上部筐体」、符号１０Ｂで示す部分を「下部筐体」と称する。これら上部筐体１０Ａと下部筐体１０Ｂとは一体として形成されている。
【００２６】
上部筐体１０Ａと下部筐体１０Ｂとの間には、これらの筐体の円錐形状の底面となる部分に板状の多孔手段としての分離板１０Ｃが設けられている。
上部筐体１０Ａの内部には、上部筐体１０Ａの円錐軸を共通の軸とするように、円筒状の内筒部材１０Ｄが筐体１０の一部として設けられ、内筒部材１０Ｄの、図における下の部分は分離板１０Ｃに当接している。
下部筐体１０Ｂの頂部側（図で下方の部分）は筒状に開口して吸気口１０Ｊを構成し、フレキシブルな吸気ダクト２０Ｂを介して吸引装置２０Ａに連結されている。
吸引装置２０Ａと吸気ダクト２０Ｂとは吸気手段を構成する。吸引装置２０Ａとしては、真空モータや真空ポンプ、空気流や水流により低圧を発生させるタイプのものなどを適宜用いることができる。
【００２７】
上部筐体１０Ａの底面に近い部分は円筒状となっており、この円筒状部分の一部に開口部１０Ｅが形成されている。開口部１０Ｅは、前記円筒状部分を円筒軸に平行な平面により切断した形状であり矩形形状である。
上記円筒状部分は、中空シリンダ１０Ｆにより貫通され、この中空シリンダ１０Ｆは上部筐体１０Ａに一体化されている。以下、中空シリンダ１０Ｆを「インレット１０Ｆ」と称する。
インレット１０Ｆの態位は、分離板１０Ｃに略平行であり、その長手方向は、上部筐体１０Ａの円筒状部分の半径方向に対して傾き、内筒部材１０Ｄの周面の接線に略平行な方向を持ち、上部筐体１０Ａ内に開いた出口側は、開口部１０Ｅに対向するように位置している。インレット１０Ｆの内部は通気路をなしている。
【００２８】
分離板１０Ｃはパンチングメタルのような穴が空いた円板状の部材であって、図１２の下図に示すように、下部筐体１０Ｂと上部筐体１０Ａとの境目の部分に設けられて、上部筐体１０Ａ内と下部筐体１０Ｂ内とを隔てている。
図１２の上図に符号ＰＣで示すのは薄片状の洗浄片であり、この洗浄片ＰＣの集合体が洗浄媒体をなす。以下、ＰＣを洗浄媒体としても表示する。
【００２９】
以上のように構成される乾式クリーニング装置によるクリーニング対象物（洗浄対象物）のクリーニング動作を、図１３を参照して説明する。
図１３の上下の図は、図１２に即して説明した乾式クリーニング装置を、図１２に倣って示している。
図１３（ｂ）は、開口部１０Ｅを解放した状態で吸気手段による吸気を行っている状態、図１３（ａ）は、開口部１０Ｅをクリーニング対象物ＣＯの表面で塞いだ状態を示している。
【００３０】
クリーニング動作に先立って、洗浄媒体ＰＣを乾式クリーニング筐体１０内の上部筐体１０Ａ内に取り込んで保持させる。ラッピングによる洗浄媒体の供給方法（取り込み方法）については上述したとおりである。
上部筐体１０Ａ内に取り込まれた洗浄媒体は、図１３（ｂ）下図に示すように、多孔手段である分離板１０Ｃに吸い付けられて上部筐体１０Ａ内に保持される。
上部筐体１０Ａ内の空気は吸気手段により吸気され、上部筐体１０Ａ内は負圧状態となっているので、筐体外部の空気がインレット１０Ｆを通して上部筐体内に導入されるが、このときのインレット１０Ｆ内の流れは流速・流量ともに小さいので、筐体内に発生する旋回空気流ＲＦは洗浄媒体を飛翔させる強さには至らない。
【００３１】
上部筐体１０Ａ内に洗浄媒体が保持されたら、図１３（ａ）に示すように、上部筐体１０Ａの開口部１０Ｅに、クリーニング対象物ＣＯの表面（クリーニングすべき表面で「汚れ」が付着している。）を密接させる。
開口部１０Ｅがクリーニング対象物ＣＯの表面で塞がれると、開口部１０Ｅからの吸気が止まるので、上部筐体１０Ａ内の負圧は一気に増大し、インレット１０Ｆを通じて吸い込まれる空気量・流速ともに増大し、インレット１０Ｆ内で整流され、インレット出口から上部筐体１０Ａ内に強い空気流となって吹き出す。
吹き出した空気流は、分離板１０Ｃ上に保持されている洗浄片ＰＣを「開口部１０Ｅを塞いでいるクリーニング対象物ＣＯの表面」に向けて飛翔させる。
上記空気流は、旋回空気流ＲＦとなって、上部筐体１０Ａの内壁に沿って円環状に流れつつ、一部は分離板１０Ｃの穴を通って吸気手段により吸気される。
【００３２】
このように上部筐体１０Ａ内を円環状に流れた旋回空気流ＲＦが、インレット１０Ｆの出口部に戻ると、インレット１０Ｆを通して導入され、インレット出口部から吹き出す空気流が旋回空気流ＲＦに合流しつつ加速する。このようにして上部筐体１０Ａ内に安定した旋回空気流ＲＦが形成される。
洗浄媒体をなす洗浄片ＰＣは、この旋回空気流により上部筐体１０Ａ内で旋回し、クリーニング対象物ＣＯの表面（の汚れ）に繰り返し衝突する。この衝突による衝撃で、上記汚れがクリーニング対象物ＣＯの表面から微小粒状あるいは粉状となって分離する。
分離した汚れは、分離板１０Ｃの穴を通って吸気手段により乾式クリーニング筐体１０の外部へ排出される。
【００３３】
上部筐体１０Ａ内に形成される旋回空気流ＲＦは、その旋回軸が、分離板１０Ｃの表面（上部筐体１０Ａ側の面）に直交しており、旋回空気流ＲＦは分離板１０Ｃの上記表面に平行な方向の気流となる。
このため、旋回空気流は分離板表面に吸い着けられた洗浄片ＰＣに、横方向から吹き付けて洗浄片ＰＣと分離板１０Ｃの間に入り込み、分離板１０Ｃに吸い付けられている洗浄片ＰＣを分離板１０Ｃから引き剥がして再度飛翔させる効果が生じる。
また、開口部１０Ｅが塞がれて上部筐体１０Ａ内の負圧が増大して、下部筐体１０Ｂ内の負圧に近くなるため、洗浄片ＰＣを分離板１０Ｃ表面に吸い付ける力も低下して、洗浄片ＰＣの飛翔がより容易になる効果が生じる。
【００３４】
旋回空気流ＲＦは、一定の方向に気流が加速されるため高速の気流が生成しやすく、洗浄片ＰＣの高速運動も容易となる。また、旋回空気流は多孔手段から吸い出されるまでに、内部で何周も循環するため、旋回空気流の流量は通気路から流れ込む流量の５〜６倍に達することが気流シミュレーションにより確認されている。流量が大きいため、より多量の洗浄媒体を飛翔させることができる。高速で旋回移動する洗浄片ＰＣは、分離板１０Ｃに吸い付けられにくく、洗浄片に付着した汚れが、遠心力により洗浄片から分離され易い。
【００３５】
図１４に、図１２に示した乾式クリーニング装置によるクリーニングの一例を示す。
クリーニング対象物は、フローはんだ槽工程で用いられるディップパレットであり、符号１００で示す。
ディップパレット１００には、マスク開口部１０１、１０２、１０３が開口しており、これらマスク開口部の穴周辺にフラックスＦＬが堆積・固化している。この堆積・固化したフラックスＦＬが除去すべき汚れである。
乾式クリーニング筐体の下部筐体１０Ｂの、吸気ダクト２０Ｂとの接合部を手ＨＤで握り、吸気状態で、上部筐体１０Ａの開口部１０Ｅを被クリーニング部位に押し当てる。
開口部１０Ｅが被クリーニング部位に押し当てられる以前は、上部筐体１０Ａ内は吸気され、洗浄媒体の洗浄片ＰＣは、分離板１０Ｃに吸い付けられているので、開口部１０Ｅは図１４に示す如く下方を向いているが、上部筐体１０Ａ内から洗浄片ＰＣが外部へ漏れることが無い。勿論、開口部１０Ｅが被クリーニング部位に押し当てられた以後は、筐体内が気密状態となり、洗浄媒体の漏れ出しはない。
【００３６】
開口部１０Ｅを被クリーニング部位に押し当てると、インレット１０Ｆにより導気される流入気流が急増し、上部筐体１０Ａ内に強い旋回空気流ＲＦを発生させ、分離板１０Ｃに吸い付けられた洗浄片ＰＣを飛翔させ、ディップパレット１００の被クリーニング部位に付着固化したフラックスＦＬに衝突させてフラックスＦＬを除去する。
クリーニング作業者は、上述の如く筐体１０を手ＨＤに持ち、ディップパレット１００に対して移動させて、被クリーニング部位を順次移動させ、付着・固化したフラックスＦＬを全て除去することができる。
図１４の状態では、ディップパレット１００のマスク開口部１０１の周辺部がクリーニングされ、マスク開口部１０２の周辺部がクリーニング途上である。
【００３７】
被クリーニング部位に対して開口部を移動させる時に被クリーニング部位から開口部が離されても、洗浄媒体吸着・飛翔効果により、洗浄片ＰＣが筐体内から漏れ出さないため、洗浄媒体を構成する洗浄片ＰＣの数が維持され、洗浄媒体量の減少によるクリーニング性能の低下は生じない。
【００３８】
図１５及び図１６に乾式クリーニング筐体の変形例を示す。この例では、上部筐体１０Ａが円筒状に形成されている。
繰り返し使用により洗浄媒体が汚れた場合は、図１５に示すように、分離板１０Ｃの一部に設けた開閉可能な洗浄媒体排出口５８を図示しないハンドル機構で開き、筐体内に残存している使用済みの洗浄媒体を吸引装置側へ回収する。洗浄媒体排出口５８は、通常の洗浄動作時は閉じている。
分離板１０Ｃを通過せずに保持される洗浄媒体は、使用可能な洗浄媒体ではあるが、汚れが付着してエッジによる汚れへの食い込み機能が低下している場合には、新しい洗浄媒体と交換した方が洗浄機能は高くなる。このような場合には、洗浄媒体排出口５８を開いて汚れた洗浄媒体を回収し、ラッピングＷＲＰを投入して洗浄媒体を入れ替える。
筐体１０を分離せずにラッピング残渣を回収したい場合にも洗浄媒体排出口５８を開くことで容易に除去できる。
開口部１０Ｅの周囲には、図１６に示すように、クリーニング対象物との密着性を高めるために、ゴムパッキンなどの柔軟部材６０を配置するとより効果的である（上記実施形態において同じ）。
図１６において、符号６２は洗浄対象物２０上の汚れを、６４は洗浄対象物２０を置いたゴムシートを示している。クリーニング対象物が凹凸や開口部のある形状であっても、柔軟なゴムシート等で開口部を塞ぐことで筐体内の負圧を高め、洗浄媒体が漏れ出すことなく洗浄することができる。
本例においても上記実施形態と同様に洗浄媒体の供給をラッピングされた形態で行うことができる。
【符号の説明】
【００３９】
１０  乾式クリーニング筐体
１０Ｃ  多孔手段としての分離板
１０Ｅ  開口部
１０Ｆ  通気路としてのインレット
１０Ｊ  吸気口
２０Ａ、２０Ｂ  吸気手段
３２、３６  ラッピング破裂手段
ＣＯ  洗浄対象物
ＰＣ  洗浄媒体
ＲＦ  旋回気流
ＷＲＰ  ラッピング
【先行技術文献】
【特許文献】
【００４０】
【特許文献１】特開２０１２−０５０９７３号公報
【特許文献２】特開２０１２−０８１４２２号公報
【特許文献３】特許第４７９６５５３号公報
【図１】
0005920000.tif 000003
【図２】
0005920000.tif 000004
【図３】
0005920000.tif 000005
【図４】
0005920000.tif 000006
【図５】
0005920000.tif 000007
【図６】
0005920000.tif 000008
【図７】
0005920000.tif 000009
【図８】
0005920000.tif 000010
【図９】
0005920000.tif 000011
【図１０】
0005920000.tif 000012
【図１１】
0005920000.tif 000013
【図１２】
0005920000.tif 000014
【図１３】
0005920000.tif 000015
【図１４】
0005920000.tif 000016
【図１５】
0005920000.tif 000017
【図１６】
0005920000.tif 000018